(57)【要約】  【課題】  少ない部品点数で且つ棒状物をノックキャップに対して相対回転させずに繰出すことができる棒状物繰出し機構を備えた筆記具を提供する。  【解決手段】  外筒１２と、外筒１２内に配設される芯送出し機構１４と、芯送出し機構１４の後部に連結された棒状物繰出し機構１６と、を備え、芯送出し機構１４の芯タンク２０の後部内周面には雌ねじ２０ａが形成されており、棒状物繰出し機構１６は、芯送出し機構１４に相対回転可能に連結されたノックキャップ３０と、ノックキャップ３０内を相対回転不能に摺動可能となり棒状物３４を保持するための棒状物受台３２と、を備えており、棒状物受台３２には、芯タンク２０の雌ねじ２０ａに螺合する雄ねじ３２ｄが一体に形成される。【選択図】  図１
2005305932.tif 000002
【特許請求の範囲】
【請求項１】
外筒と、外筒内に配設される筆記軸体と、筆記軸体の後部に連結された棒状物繰出し機構と、を備えた筆記具において、
筆記軸体は、内周面に雌ねじが形成された部分を有し、該部分は外筒と相対回転不能となっており、
棒状物繰出し機構は、前記筆記軸体に相対回転可能に連結された後筒と、該後筒内を相対回転不能に且つ軸方向に摺動可能となり棒状物を保持する棒状物受台と、を備えており、棒状物受台には、前記筆記軸体の雌ねじに螺合する雄ねじが一体に形成されることを特徴とする棒状物繰出し機構を備えた筆記具。
【請求項２】
前記棒状物受台は棒状物を保持する保持部を備えており、該保持部は、前記後筒の内周面に形成された縦溝に摺動可能に嵌合することを特徴とする請求項１記載の棒状物繰出し機構を備えた筆記具。
【請求項３】
棒状物受台の先端部には前記雄ねじが形成されていない部分が設けられており、該雄ねじが形成されていない部分にはスリットが形成されることを特徴とする請求項１または２記載の棒状物繰出し機構を備えた筆記具。
【請求項４】
前記棒状物受台には、筆記軸体の中心孔と連通する中心孔が貫通して形成されることを特徴とする請求項１ないし３のいずれか１項に記載の棒状物繰出し機構を備えた筆記具。
【発明の詳細な説明】
【技術分野】
【０００１】
本発明は、棒状物繰出し機構を備えた筆記具に関する。
【背景技術】
【０００２】
従来この種の筆記具としては、例えば、実公平５−４５５１３号公報（特許文献１）や特開平４−２５４９９号公報（特許文献２）に記載されたものが知られている。
【０００３】
特許文献１に記載されたシャープペンシルは、外筒内に筆記軸体が配設され、筒状キャップの後方部内面に螺旋溝が設けられ、筒状体の後方部分が筒状キャップに相対回転可能に取り付けられ、該筒状体の後方部分にスリットが設けられ、スリットに消しゴム受台が摺動自在に嵌め込まれ、消しゴム受台に設けた突起が前記螺旋溝に螺合され、筒状体の前方部分が外筒に着脱自在に、相対回転不能に且つ軸方向に移動自在とされた構成としている。
【０００４】
特許文献２に記載されたシャープペンシルは、外筒内に筆記体が配設され、筆記体の芯タンクの後端内周面に突起が形成され、消しゴム受台としてのホルダに該突起に係合する長溝が形成されると共にネジ軸が形成され、回転スリーブの内周面に該ホルダのネジ軸に螺合するネジ条が形成されており、回転スリーブが芯タンクの後端部に相対回転可能に係止された構成としている。
【０００５】
いずれにおいても、外筒と後筒との間の相対回転によって、消しゴム受台に保持された消しゴムが後筒の後端から出没可能となっている。
【０００６】
しかしながら、特許文献１では、部品点数が多く、また、いずれの文献も消しゴム受台と後筒とが螺合しており、消しゴム受台に保持された消しゴムが後筒に対して相対回転しながら繰出されるために、消しゴムの繰出し量に対して消しゴムが後筒の内周面と摺接する距離が長くなり、そのため操作効率が悪いという問題がある。
【０００７】
【特許文献１】実公平５−４５５１３号公報
【特許文献２】特開平４−２５４９９号公報
【発明の開示】
【発明が解決しようとする課題】
【０００８】
本発明は、かかる課題に鑑みなされたもので、その目的は、少ない部品点数で且つ棒状物を後筒に対して相対回転させずに繰出すことができる棒状物繰出し機構を備えた筆記具を提供することである。
【課題を解決するための手段】
【０００９】
上記目的を達成するために本発明のうち請求項１記載の発明は、外筒と、外筒内に配設される筆記軸体と、筆記軸体の後部に連結された棒状物繰出し機構と、を備えた筆記具において、
筆記軸体は、内周面に雌ねじが形成された部分を有し、該部分は外筒と相対回転不能となっており、
棒状物繰出し機構は、前記筆記軸体に相対回転可能に連結された後筒と、該後筒内を相対回転不能に且つ軸方向に摺動可能となり棒状物を保持する棒状物受台と、を備えており、棒状物受台には、前記筆記軸体の雌ねじに螺合する雄ねじが一体に形成されることを特徴とする。
【００１０】
請求項２記載の発明は、請求項１記載のものにおいて、前記棒状物受台が棒状物を挟持する保持部を備えており、該保持部は、前記後筒の内周面に形成された縦溝に摺動可能に嵌合することを特徴とする。
【００１１】
請求項３記載の発明は、請求項１または２記載のものにおいて、棒状物受台の先端部には該雄ねじが形成されていない部分が設けられており、該雄ねじが形成されていない部分にはスリットが形成されることを特徴とする。
【００１２】
請求項４記載の発明は、請求項１ないし３のいずれか１項に記載のものにおいて、前記棒状物受台には、筆記軸体の中心孔と連通する中心孔が貫通して形成されることを特徴とする。
【発明の効果】
【００１３】
本発明によれば、棒状物を繰出す操作を行なうときには、後筒を外筒に対して回転させると、後筒に対して相対回転不能となった棒状物受台と外筒に対して相対回転不能となった筆記軸体の部分との間で相対回転が発生し、棒状物受台の雄ねじは、筆記軸体の雌ねじに誘導されて移動して、棒状物受台は後筒内を軸方向に移動するので、棒状物が繰出される。棒状物受台と後筒とは相対回転不能であるため、棒状物も後筒と相対回転せずに、後筒に対して直線的に繰出されることとなる。これにより操作効率を良好にすることができる。また、少ない部品点数で構成することができる。
【発明を実施するための最良の形態】
【００１４】
以下、図面を用いて本発明の実施の形態を説明する。
【００１５】
図において、符号１０は筆記具としてのシャープペンシルであり、シャープペンシル１０は、大まかに、外筒１２と、外筒１２内に配設され芯を送り出す筆記軸体である芯送出し機構１４と、芯送出し機構１４の後部に連結された棒状物繰出し機構１６と、を備えている。
【００１６】
外筒１２は、図示の例では、一体成形品となっているが、複数の部材から構成することが可能である。
【００１７】
外筒１２内には芯送出し機構１４が配設される。芯送出し機構１４は、公知のように、芯を収納する芯タンク２０と、芯タンク２０の先端に固定され芯の締付及び送出しを行なうチャック２２と、チャック２２の外周側にあってチャック２２を締付可能となったチャックリング２４と、チャックリング２４の後退を規制するスリーブ２６と、スリーブ２６の前端と芯タンク２０の前端との間に介挿されるリターンスプリング２８と、を備えている。スリーブ２６は、外筒１２に形成された開口に係止される係止片２６ａを有しており、スリーブ２６は外筒１２に対して固定される。リターンスプリング２８は、芯タンク２０及びこれに固定されたチャック２２を後方へと付勢している。
【００１８】
また、図２及び図３に示すように、芯タンク２０の外周面には、外径方向に突出する突出部２０ｃが周方向に離間して複数個形成されており、該突出部２０ｃは外筒１２の内周面に形成された縦溝１２ａに摺動可能に嵌合している。これによって、芯タンク２０と外筒１２との間は相対回転不能で且つ軸方向に摺動可能となっている。尚、この突出部２０ｃと縦溝１２ａとによって芯タンク２０と外筒１２とを相対回転不能とする構成に限るものではなく、外筒１２の内周面に縦リブ、芯タンク２０の外周面に縦溝を設けてもよく、または、外筒１２の内周面と芯タンク２０の外周面を互いに嵌合する多角形形状とすることでもよい。
【００１９】
また、図４に示すように、芯タンク２０の後端部の内周面には螺旋状の短い突条が形成されており、該突条が雌ねじ２０ａとなる。
【００２０】
図１に示すように、棒状物繰出し機構１６は、後筒としてのノックキャップ３０と、棒状物としての消しゴム３４を保持する棒状物受台３２とを備えている。ノックキャップ３０は、芯タンク２０の後端部の外周面に形成された環状突起２０ｂに係合する環状凹部３０ａを有しており、これによって、芯タンク２０の後部に相対回転可能に且つ軸方向移動不能に連結される。ノックキャップ３０の先端は、図示のように、外筒１２の後端よりも後方に位置付けられていてもよいが、これに限るものではなく、ノックキャップ３０の先端が外筒１２の後端よりも前方に位置づけられる態様、即ち、ノックキャップ３０が外筒１２の後端部を包囲するオーバキャップの態様、またはノックキャップ３０が外筒１２の後端部内に進入する態様となっていてもよい。
【００２１】
ノックキャップ３０の後部の内周面には、軸方向に伸びる一対の縦溝３０ｂ、３０ｂが形成されている（図６参照）。
【００２２】
棒状物受台３２は、図５に示したように、消しゴム３４を保持するための保持部３２ａと、保持部３２ａから前方へと伸びる雄ねじ軸３２ｂとを備えている。保持部３２ａは、消しゴム３４を挟持する一対の挟持片３２ｃ、３２ｃから構成され、挟持片３２ｃは、前記ノックキャップ３０の縦溝３０ｂに軸方向に摺動可能に嵌合される。また、雄ねじ軸３２ｂの雄ねじ３２ｄは、前記芯タンク２０の雌ねじ２０ａに螺合する。
【００２３】
雄ねじ軸３２ｂの先端部には、雄ねじ３２ｄがなくなった部分の範囲にほぼ亘り、軸方向に伸びるスリット３２ｅが形成されている。スリット３２ｅの数は、図の例では１つとなっているが、これに限るものではなく、２つ以上設けることも可能である。これによって、組立時、棒状物繰出し機構１６を芯タンク２０に連結するために、棒状物受台３２の雄ねじ軸３２ｂを芯タンク２０の後端部内に挿入する際に、スリット３２ｅの弾性を利用して雄ねじ軸３２ｂの先端部を芯タンク２０内へと押し込むことで、雄ねじ軸３２ｂの先端部が芯タンク２０の雌ねじ２０ａを通過することができ、簡単に取り付けることができるようになる。この雄ねじ軸３２ｂの先端部の雄ねじ３２ｄがなくなった部分は、芯タンク２０からの棒状物受台３２の抜け止めとして作用する。
【００２４】
また、雄ねじ軸３２ｂには中心孔３２ｆが軸方向に貫通しており、中心孔３２ｆは保持部３２ａの消しゴム３４を保持する部分と連通すると共に、芯タンク２０の中心孔とも連通している。
【００２５】
以上のように構成されるシャープペンシル１０において、消しゴム３４を繰出す操作を行なうときには、ノックキャップ３０を外筒１２に対して回転させると、ノックキャップ３０に対して相対回転不能となった棒状物受台３２と外筒１２に対して相対回転不能となった芯タンク２０との間で相対回転が発生し、棒状物受台３２の雄ねじ３２ｄは、芯タンク２０の雌ねじ２０ａに誘導されて、棒状物受台３２がノックキャップ３０内を軸方向に移動するので、消しゴム３４が繰出される。棒状物受台３２とノックキャップ３０とは相対回転不能であるため、消しゴム３４もノックキャップ３０と相対回転せずに、ノックキャップ３０に対して直線的に繰出されることとなる。これにより操作効率を良好にすることができる。
【００２６】
芯を繰出す操作を行なうときには、ノックキャップ３０を外筒１２に対してノックすると、ノックキャップ３０に連結されている芯タンク２０が前進して、芯が繰出される。
【００２７】
また、芯を補充する操作を行なうときには、消しゴム３４を棒状物受台３２から取り外すことにより、棒状物受台３２の中心孔３２ｆが芯タンク２０と連通するので、芯を棒状物受台３２の中心を通して芯タンク２０へと補充することができるようになる。この消しゴム３４と棒状物受台３２との着脱を容易にするために、棒状物受台３２の保持部３２ａの消しゴム３４の保持力は強すぎないようになっているとよい。弱い保持力であっても、消しゴム３４の繰出しを行なう際に、消しゴム３４がノックキャップ３０から受ける仕事が小さいため、問題となることはない。
【００２８】
このように以上の実施形態では、少ない部品点数で構成されており、これにより低コストで製造することができる。但し、上記実施形態において、単一の部材で構成されていた部材を、複数部材で構成することも可能であり、逆に複数部材で構成された部材を単一の部材を構成することも可能である。
【００２９】
また、上記実施形態は筆記具としてシャープペンシルを例にとって説明したが、これに限るものではなく、ボールペン等の任意の筆記具に適用することが可能である。また、棒状物としては、消しゴムに限らず、筆記芯、修正棒、蛍光芯等の任意の棒状物とすることが可能である。
【図面の簡単な説明】
【００３０】
【図１】本発明の実施形態にかかるシャープペンシルの全体縦断面図である。
【図２】芯タンク及び棒状物繰出し機構と、外筒との関係を表す分解斜視図である。
【図３】図１の３−３線に沿って見た断面図である。
【図４】芯タンクの後端部の縦断面図である。
【図５】棒状物受台の斜視図である。
【図６】図１の６−６線に沿って見た断面図（但し、クリップは省略）である。
【符号の説明】
【００３１】
１０  シャープペンシル（筆記具）
１２  外筒
１４  芯送出し機構（筆記軸体）
１６  棒状物繰出し機構
２０  芯タンク
２０ａ  雌ねじ
３０  ノックキャップ（後筒）
３０ｂ  縦溝
３２  棒状物受台
３２ａ  保持部
３２ｄ  雄ねじ
３４  消しゴム（棒状物）
【図１】
2005305932.tif 000003
【図２】
2005305932.tif 000004
【図３】
2005305932.tif 000005
【図４】
2005305932.tif 000006
【図５】
2005305932.tif 000007
【図６】
2005305932.tif 000008
【手続補正書】
【提出日】平成16年5月14日(2004.5.14)
【手続補正１】
【補正対象書類名】図面
【補正対象項目名】図１
【補正方法】変更
【補正の内容】
【図１】
2005305932.tif 000009